(57)【要約】【課題】音鳴りを防止することができる軒樋支持具の補強部材を提供する。【解決手段】建物の鼻隠し板Ｗに固定される固定部２と、この固定部２を鼻隠し板Ｗに固定した際に先端３ｔが軒先Ｒの方向に突出するアーム部３とを備え、アーム部３に芯部材５が取り付けられている。【選択図】図５
2016156178.tif 000002
【特許請求の範囲】
【請求項１】
建物の鼻隠し板に固定される固定部と、この固定部を前記鼻隠し板に固定した際に先端が軒先の方向に突出するアーム部とを備え、
前記アーム部に芯部材が取り付けられている軒樋支持具。
【請求項２】
前記芯部材は、前記アーム部の突出方向に取り付けられているとともに、前記アーム部の基端部で折れ曲がって前記固定部に取り付けられている請求項１に記載の軒樋支持具。
【請求項３】
前記アーム部には、前記芯部材を嵌め込む凹所が開口し、前記凹所に前記芯部材の一部が嵌め込まれている請求項１又は２に記載の軒樋支持具。
【発明の詳細な説明】
【技術分野】
【０００１】
本発明は、軒樋支持具に関する。
【背景技術】
【０００２】
樹脂製の軒樋は、その上端に形成された耳部を樹脂製の軒樋支持具のアーム部の先端及びアーム部の基端側に設けられた被係止部に係止させて軒先に設置されている。樹脂製軒樋は、直射日光や冷気等の温度変化の影響を受けやすい軒先に設置され、風雨等の外力にさらされるものであるため、軒樋が熱や外力によりその長手方向に膨張又は収縮したり風雨等で揺動したりすることがある。軒樋がその長手方向に伸縮等すると、耳部と前記アーム部の被係止部との摩擦力により軒樋がアーム部先端側の被係止部を引っ張るため、アーム部が弾性変形する。そして、アーム部の変形量が一定以上になると、このアーム部の弾性復帰力が摩擦力に勝って弾性復帰し、軒樋の耳部との間で例えば「バチッ」という跳ね返り音を発生させることがある。
そこで従来より、このような軒樋支持具が変形して弾性復帰した際に生じる跳ね返り音の発生を防止するために、各種開発がされている（例えば、特許文献１）。
【先行技術文献】
【特許文献】
【０００３】
【特許文献１】特開２００１−４０８３７号公報
【発明の概要】
【発明が解決しようとする課題】
【０００４】
ところで、特許文献１の発明は、ポリカーボネート樹脂製の軒樋の耳部に充填材を含有させることにより充填剤が耳部表面に突出して微小突起が形成され、軒樋支持具との摩擦力の発生を減少させて滑りやすくすることにより、音鳴りを防止するものである。しかし、既設の軒樋に対して音鳴りを防止するためには、軒樋の全体を交換する必要があり経済的ではなかった。また、経時劣化により微小突起が削れてしまうことがあるため、音鳴りの発生防止を長期間維持できるものではなかった。
本発明は、上記問題に鑑みて、簡便に音鳴りを防止することができる樹脂製の軒樋支持具を提供する。
【課題を解決するための手段】
【０００５】
本発明の軒樋支持具は、建物の鼻隠し板に固定される固定部と、この固定部を前記鼻隠し板に固定した際に先端が軒先の方向に突出するアーム部とを備え、前記アーム部に芯部材が取り付けられている。
この構成によれば、アーム部が芯部材に支持されることで、アーム部の湾曲に対する剛性が高められる。従って、アーム部が弾性変形することが抑制され、弾性復帰した時の跳ね返り音を発生させ難い。
【０００６】
本発明の前記芯部材は、前記アーム部の突出方向に取り付けられているとともに、前記アーム部の基端部で折れ曲がって前記固定部に取り付けられていてもよい。
この構成によれば、前記アーム部に嵌め込まれた芯部材を前記固定部で保持することができる。
【０００７】
本発明の前記アーム部には、前記芯部材を嵌め込む凹所が開口し、前記凹所に前記芯部材の一部が嵌め込まれていてもよい。
この構成によれば、芯部材をアーム部に容易に嵌め込むことができる。
【発明の効果】
【０００８】
本発明の軒樋支持具は、芯部材により支持具本体のアーム先端部が軒樋の熱伸縮応力により左右に追従することを抑制できるので、音鳴りを防止することができるという効果を奏する。
【図面の簡単な説明】
【０００９】
【図１】本発明の一実施形態として示した軒樋支持具を分解して示した斜視図である。
【図２】本発明の一実施形態として示した軒樋支持具の固定部及びアーム部を示した背面斜視図である。
【図３】本発明の一実施形態として示した軒樋支持具の固定部及びアーム部を図１に示すＡ−Ａ線で矢視した側断面図である。
【図４】本発明の一実施形態として示した軒樋支持具の組み立て方法を示した側面図である。
【図５】図３に示す支持具本体に芯部材を装着した状態を示した側断面図である。
【図６】本発明の一実施形態として示した軒樋支持具の底面図である。
【発明を実施するための形態】
【００１０】
以下、本発明の一実施形態に係る軒樋支持具について、図面を参照して説明する。
図１に示すように、本発明の一実施形態の軒樋支持具１は、建物の鼻隠し板Ｗ（図３参照）に固定される固定部２と、固定部２を鼻隠し板Ｗに固定した際に、先端が軒先Ｒ（図３参照）の方向に突出するアーム部３とを有した支持具本体４を備えている。そして、支持具本体４に芯部材５が取り付けられている。
【００１１】
固定部２は、正面視（矢印Ｘ１方向視）で略Ｔ字形の板状に形成されており、左右方向に延びた第１壁部７の両端近傍及び下方に延びた第２壁部８の下端近傍のそれぞれに不図示のビスを挿通させる挿通孔９が形成されている。なお、固定部２の鼻隠し板Ｗに当接させる板面を背面２ａとし、アーム部３を突出させている面を前面２ｂと称する。
鼻隠し板Ｗに対向させる固定部２には、背面２ａに開口し、鉛直方向に延びる第１の凹所１０が形成されている。
【００１２】
図２に示すように、第１の凹所１０は、第１壁部７の左右方向中央の上端近傍から第２壁部８に形成された挿通孔９の上部近傍に亘って形成されている。
第１の凹所１０の鉛直方向に延びる側壁１０ａ，１０ｂ間の寸法は、後述する芯部材５の幅寸法よりも大きく形成されている。
【００１３】
側壁１０ａ，１０ｂには、鉛直方向に所定の間隔をおいて側壁１０ａ，１０ｂ間の幅寸法を芯部材５よりも僅かに小さい寸法にする突起１５，１５・・が形成されている。
突起１５，１５・・は、側壁１０ａ，１０ｂの互いに対向する位置に略矩形に形成されている。互いに対向する突起１５，１５は、芯部材５を挟み込んで固定する把持部Ｃ１を構成している。
第１の凹所１０の深さは、芯部材５の厚さ（幅）寸法以上に形成されている。
【００１４】
図１，図３に示すように、アーム部３は、固定部２の前面２ｂから突出する、具体的には、固定部２を鼻隠し板Ｗ（図３参照）に設置した際に、鼻隠し板Ｗから離間する方向に突出する上壁部２０と、上壁部２０の基端３ｓから間隔を空けた固定部２の下方から突出方向を上壁部２０の先端３ｔに向けて設けられた下壁部２１と、これら上壁部２０及び下壁部２１の幅方向中央に沿って、上壁部２０と下壁部２１との間を塞ぐように立設された立設壁部２２とを備えている。
【００１５】
アーム部３には、アーム部３の基端３ｓから先端３ｔ近傍に亘って平面視で直線状に形成された第２の凹所２５が形成されている。第２の凹所２５は、第１の凹所１０の上端部１０ｔと連通しており、かつ、上壁部２０から下方に広がって下壁部２１の下面２１ｂにおいて開口している。
【００１６】
第２の凹所２５を形成している側壁２５ａ，２５ｂは、その上壁部２０内において、第２の凹所２５の幅寸法を芯部材５よりも僅かに小さい寸法にする突起２６，２６・・が形成されている。
突起２６，２６・・は、側壁２５ａ，２５ｂの互いに対向する位置に略矩形に形成されている。互いに突起２６，２６は、芯部材５を挟み込んで固定する把持部Ｃ２を構成している。
【００１７】
アーム部３の先端３ｔには、上方に突出する被係止部２７が設けられており、アーム部３の下壁部２１の基端部には、固定部２に向かって突出する被係止部２８が設けられている。
【００１８】
支持具本体４の材質としては、一般的に用いられているエンジニアリングプラスチック、特にポリカーボネート樹脂が挙げられるが、ポリカーボネート樹脂は軒樋の接続に使用される接着剤に含有される溶剤（メチルイソブチルケトン、シクロヘキサノン、トルエン）や、セメント瓦やセメント系材料を用いた鼻隠し板Ｗから雨水により溶出されるアルカリ成分（水酸化カルシウム、水酸化ナトリウム）、軟質塩化ビニル樹脂で外面が被覆された塩化ビニル被覆鋼板製の鼻隠し板Ｗに含有される可塑剤（ＤＯＰ，ＤＢＰ等）と接触すると、製造時に起因する残留応力によりクラックが発生するという問題が知られており、このような成分と接触する場合には使用することができない。
【００１９】
そのため、支持具本体４の材質としては、塩化ビニル樹脂を用いることがより好ましい。塩化ビニル樹脂はポリカーボネート樹脂よりも強度が不足するものの低コストであり、本発明では芯部材５により不足する強度を補うことができる。また、ポリカーボネート樹脂は上述の製造時に起因する残留応力を低下させるために１００〜１２０℃に保持したギアオーブン中に３０分以上放置して放冷固化させるなどの工夫が必要であるが、塩化ビニル製樹脂はこのような工夫が必要ないため成形性にも優れている。
【００２０】
鼻隠し板Ｗの材質としては一般的に使用される材料が挙げられるが、支持具本体４の材質として塩化ビニル樹脂を用いた場合には、上述の通り鼻隠し板Ｗに軟質塩化ビニル樹脂やセメント系材料を用いることができる。
支持具本体４は金型を用いた射出成型により製造することができる。ここで、第２の凹所２５を形成する金型コアを引き抜くことができない場合には、図１のＡ−Ａ断面で分割された形状の支持具本体４をそれぞれ製造し、成形後に接着や嵌合することにより一体とすることができる。なお、第２の凹所２５を形成する金型コアを引き抜くことができる場合には支持具本体４を一体として成形してもよい。
【００２１】
芯部材５は、支持具本体４よりも剛性の高い材質、例えば鉄、アルミニウム、ステンレス等の金属材からなる棒状の部材であり、防錆処理などを施したものを用いることが好ましい。
芯部材５は、図１に示すように、折曲部Ｍを中心に折り曲げられて略Ｌ字状に形成され、長手片（芯部材５の一部）５ａと短手片５ｂとを備えている。
【００２２】
図３に示すように、軒樋３０は、軒先Ｒの延在方向（図３においては紙面奥行き方向）を長手方向とする長尺な底板３１と、底板３１の短手方向の軒先Ｒ側の端部から立設する前方側板３２と、短手方向の鼻隠し板Ｗ側の端部から立設する後方側板３３とを備えている。
前方側板３２には、支持具本体４の被係止部２７に係止させる前方耳部３４が形成され、後方側板３３には、支持具本体４の被係止部２８に係止させる後方耳部３５が形成されている。
【００２３】
軒樋３０の材質としては、塩化ビニル樹脂等の熱可塑性樹脂が挙げられ、表層は耐候性の優れるＡＥＳ樹脂（アクリロニトリル−エチレンプロピレンゴム−スチレン共重合体）で被覆され、内層は塩化ビニル樹脂である積層構造でもよい。また、軒樋支持具１は軒樋３０が伸縮しても音鳴りがしにくいため、１ｍあたり約１ｍｍ程度伸縮する軒樋３０を用いることができる。なお、軒樋支持具１の材料として塩化ビニル樹脂を用いた場合には上述の通りポリカーボネート樹脂製の軒樋支持具１が使用できない箇所にも用いることができるため、内層にポリエステル樹脂層や金属板などの低伸縮材料を備えた伸縮しない軒樋に用いてもよい。
【００２４】
次に、軒樋支持具１の設置方法及び軒樋支持具１に軒樋３０を設置した際の作用及び機能について説明する。
図４に示すように、Ｌ字形に曲げられた芯部材５の長手片５ａを第２の凹所２５に向けて、芯部材５の短手片５ｂを第１の凹所１０に向けて挿入していく。挿入時には、芯部材５の先端をやや下方に傾けて、芯部材５を第２の凹所２５内の突起２６，２６・・の下方に通す。
【００２５】
芯部材５の折曲部Ｍが第１の凹所１０の上端部１０ｔに嵌合したら、折曲部Ｍを中心として回転させ、図５に示すように芯部材５の短手片５ｂを第１の凹所１０の突起１５，１５（すなわち把持部Ｃ１）間に、長手片５ａを第２の凹所２５の突起２６，２６（すなわち把持部Ｃ２）間に嵌め込む。
互いに対向する突起１５，１５及び突起２６，２６は、第１の凹所１０及び第２の凹所２５の幅寸法を芯部材５の幅寸法よりも狭めているので、図６に示すように芯部材５を第１の凹所１０（図５参照）及び第２の凹所２５に嵌め込むことで芯部材５は、突起１５，１５・・又は突起２６，２６・・によって硬く保持される。
【００２６】
このようにして芯部材５を備えた軒樋支持具１とした上で、図５に示すように固定部２の背面２ａを鼻隠し板Ｗに当接させ、各挿通孔９にビス（図示略）を通して軒樋支持具１を鼻隠し板Ｗに固定する。  
軒樋支持具１を鼻隠し板Ｗに設置した後、図３に示すように、先端３ｔ側の被係止部２７及び基端３ｓ側の被係止部２８のそれぞれに軒樋３０の前方耳部３４及び後方耳部３５を係止させ、軒樋３０の設置が完了する。
【００２７】
以上のように軒樋支持具１に図３に示す軒樋３０を設置した場合、軒樋３０が温度変化や外力により軒樋３０の長手方向に伸縮したり揺動したりした場合、被係止部２７と前方耳部３４との間の摩擦力により、軒樋３０がアーム部３を水平方向に引っ張ろうとする。
【００２８】
しかし、支持具本体４には芯部材５が嵌め込まれているので、アーム部３が軒樋３０の伸縮又は移動方向に引っ張られても、芯部材５が第１の凹所１０及び第２の凹所２５に固定されており、アーム部３の剛性を高めているため、アーム部３の左右方向への弾性変形を規制する。
【００２９】
すなわち、アーム部３自体の剛性と芯部材５の剛性とによる高い剛性（すなわち反力）とが、被係止部２７と前方耳部３４との摩擦力を上回り、軒樋３０の動きに対するアーム部３の追従を抑制するか、音鳴りがする程度にアーム部３が湾曲する前に被係止部と前方耳部との摩擦を解いてアーム部３を弾性復帰させることができる。
【００３０】
したがって、軒樋支持具１によれば、芯部材５によりアーム部３の左右方向への弾性変形を少なくとも音鳴りが発生しない程度に抑制できるため、不快な音鳴りを防止することができるという効果が得られる。
また、芯部材５が、Ｌ字形に折り曲げられ、短手片５ｂが固定部２内に嵌め込まれているため、長手片５ａが第２の凹所２５の突起２６，２６間から外れてしまうことを防止することができるという効果が得られる。また、芯部材５が折り曲げられていることから、長手片５ａが固定部２に確実に固定され、アーム部３をより確実に支持することができるという効果が得られる。
【００３１】
また、芯部材５が支持具本体４に嵌め込まれるため、芯部材５の支持具本体４への取り付けが容易となるとともに、剛性の高い軒樋支持具１をコンパクトに形成することができるという効果が得られる。
また、第１の凹所１０が鼻隠し板Ｗに当接させて水が掛かり難い背面２ａ側に形成され、第２の凹所２５が下壁部２１の下面２１ｂに開口しているため、軒樋支持具１を鼻隠し板Ｗに設置した際に、第１の凹所１０及び第２の凹所２５に雨水が浸入することを防止することができる。したがって、第１の凹所１０及び第２の凹所２５に嵌め込んだ芯部材５に雨水が付着して腐食することを抑制することができるという効果が得られる。
【００３２】
なお、芯部材５は、Ｌ字状に折り曲げられ、固定部２内にも嵌め込まれた構成であることが好ましいが、少なくともアーム部３に備えていればよい。
また、芯部材５は、支持具本体４の内側に嵌め込まれていることが好ましいが、少なくともアーム部３の剛性を保持し得るように固定される限り、第２の凹所２５内に設置されていなくてもよい。
また、芯部材５は、支持具本体４に複数本嵌め込んでもよく、芯部材５自体が複数の枝分かれを有していてもよい。
【符号の説明】
【００３３】
１    軒樋支持具
２    固定部
３    アーム部
４    支持具本体
５    芯部材
１０  第１の凹所
Ｗ    鼻隠し板
Ｒ    軒先
【図１】
2016156178.tif 000003
【図２】
2016156178.tif 000004
【図３】
2016156178.tif 000005
【図４】
2016156178.tif 000006
【図５】
2016156178.tif 000007
【図６】
2016156178.tif 000008